(57)【要約】【課題】  書き込み不足の発生を抑制し暗部の表示ムラを無くすことができる電気光学装置、電気光学装置の駆動方法及び電子機器を提供する。【解決手段】  １フレーム分の画像データＤのうち、その最暗画像データが最暗階調閾値以下である場合、その最暗画像データが前記最暗階調閾値以上になるように画像データＤを補正した。そして、その補正された補正後画像データＤｒに基づいてデータ信号Ｉｄａｔａ１〜Ｉｄａｔａｍを生成し、同データ信号Ｉｄａｔａ１〜Ｉｄａｔａｍを対応するデータ線を介して画素に供給するようにした。【選択図】      図１
2005141148.tif 000002
【特許請求の範囲】
【請求項１】
複数の走査線と、複数のデータ線と、前記各走査線と前記各データ線との交差部に対応した位置にそれぞれ配設された電気光学素子とを備え、
前記電気光学素子が入力画像データのデータ値に応じた階調輝度で発光する電気光学装置において、
第１の基準値を予め記憶し、前記入力画像データの中から前記電気光学素子を最も暗い階調輝度で発光させる最暗画像データを求めるとともに、前記最暗画像データが前記第１の基準値以下であるか否かを判断する判断部と、
前記最暗画像データが前記第１の基準値以下であるとき、前記最暗画像データが前記第１の基準値を超えるように、入力画像データのデータ値を、補正する補正量を算出する算出部と
を備えたことを特徴とする電気光学装置。
【請求項２】
請求項１に記載の電気光学装置において、
前記判断部は、前記第１の基準値より高い値を有する第２の基準値を予め記憶するとともに、前記入力画像データの中から前記電気光学素子を最も明るい階調輝度で発光させる最明画像データを求め、前記補正量で補正した入力画像データの最明画像データが前記第２の基準値を超えるか否かを判断し、
前記算出部は、前記補正量で補正した入力画像データの最明画像データが前記第２の基準値を超えるとき、前記最暗画像データがほぼ前記第１の基準値となり、前記最明画像データが前記第２の基準値以下となるように、前記入力画像データのデータ値を補正することを特徴とする電気光学装置。
【請求項３】
請求項１または２に記載の電気光学装置において、
前記電気光学素子の発光期間を前記補正量に基づいて制御する発光期間制御回路を備えたことを特徴とする電気光学装置。
【請求項４】
請求項１乃至３のいずれか一つに記載の電気光学装置において、
前記第１の基準値は、書き込み不足が生じると予想される低い階調の入力画像データの基準値であって、
前記第２の基準値は、白飛びが生じると予想される高い階調の入力画像データの基準値であることを特徴とする電気光学装置。
【請求項５】
請求項１乃至４のいずれか一つに記載の電気光学装置において、
前記算出部は、１フレーム分の前記入力画像データに基づいて前記補正量を算出することを特徴とする電気光学装置。
【請求項６】
請求項１乃至４のいずれか一つに記載の電気光学装置において、
前記算出部は、１フレーム分の前記入力画像データを複数の組に分割し、その分割された組に属する入力画像データに基づいて前記補正量を算出することを特徴とする電気光学装置。
【請求項７】
請求項１乃至４のいずれか一つに記載の電気光学装置において、
前記算出部は、１走査線分の前記入力画像データに基づいて前記補正量を算出することを特徴とする電気光学装置。
【請求項８】
請求項１乃至７のいずれか一つに記載の電気光学装置において、
前記電気光学素子は、その発光層が有機材料で構成されたＥＬ素子であることを特徴とする電気光学装置。
【請求項９】
複数の走査線と、複数のデータ線と、前記各走査線と前記各データ線との交差部に対応した位置にそれぞれ配設された電気光学素子と、を備え
前記電気光学素子が入力画像データのデータ値に応じた階調輝度で発光する電気光学装置の駆動方法において、
前記入力画像データの中から、前記電気光学素子を最も暗い階調輝度で発光させる最暗画像データと最も明るい階調輝度で発光させる最明画像データとを求め、
前記最暗画像データが予め定めた第１の基準値以下であるか否かを判断し、
前記最暗画像データが前記第１の基準値以下のとき、
前記最暗画像データが前記第１の基準値を超えるように、前記入力画像データのデータ値を補正するようにしたことを特徴とする電気光学装置の駆動方法。
【請求項１０】
請求項９に記載の電気光学装置の駆動方法において、
前記入力画像データの中から求めた前記最明画像データが、予め定めた第２の基準値を越えるか否かを判断し、前記最明画像データが前記第２の基準値を越えるとき、
前記最暗画像データがほぼ前記第１の基準値となり、前記最明画像データが前記第２の基準値以下となるように、前記入力画像データのデータ値を補正するようにしたことを特徴とする電気光学装置の駆動方法。
【請求項１１】
請求項９または１０に記載の電気光学装置の駆動方法において、
前記電気光学素子の発光期間を前記補正に基づいて制御する発光期間制御回路をさらに備え、
前記発光期間制御回路は、前記最暗画像データが前記第１の基準値以下であると判断され前記入力画像データのデータ値が前記補正に基づいて引き上げられた場合、前記電気光学素子の発光期間を前記補正に対応した期間だけ短くするようにしたことを特徴とする電気光学装置。
【請求項１２】
請求項９乃至１１のいずれか一つに記載の電気光学装置の駆動方法において、
前記補正を、１フレーム分の前記入力画像データに基づいて算出するようにしたことを特徴とする電気光学装置の駆動方法。
【請求項１３】
請求項９乃至１１のいずれか一つに記載の電気光学装置の駆動方法において、
前記補正を、１フレーム分の前記入力画像データを複数の組に分割し、その分割された組に属する入力画像データに基づいて算出するようにしたことを特徴とする電気光学装置の駆動方法。
【請求項１４】
請求項９乃至１１のいずれか一つに記載の電気光学装置の駆動方法において、
前記補正を、１走査線分の前記入力画像データに基づいて算出するようにしたことを特徴とする電気光学装置の駆動方法。
【請求項１５】
請求項１乃至８のいずれか一つに記載の電気光学装置を備えた電子機器。
【発明の詳細な説明】
【技術分野】
【０００１】
本発明は、電気光学装置、電気光学装置の駆動方法及び電子機器に関するものである。
【背景技術】
【０００２】
電気光学装置として、例えば、有機エレクトロルミネッセンス表示装置（以下、有機ＥＬディスプレイという）が知られている。この種の有機ＥＬディスプレイは画素間の輝度ばらつきがあり、これを抑制するために、電流プログラム方式をはじめとする様々な駆動方式が提案されている（例えば、特許文献１）。特許文献１で示すデータ信号がアナログ電流信号である電流プログラム方式の場合、各有機ＥＬ素子の単位時間当たりの輝度はデータ信号の電流レベルに比例する。従って、例えば、前記データ信号の電流レベルを低く設定することで各有機ＥＬ素子の単位時間当たりの輝度を低くすることができる。
【特許文献１】特開２００３−２２０４９号公報
【発明の開示】
【発明が解決しようとする課題】
【０００３】
しかしながら、データ信号がアナログ電流信号である有機ＥＬディスプレイではデータ信号の電流レベルが小さい場合はデータ線の配線容量を充電するのに要する時間がかかるため、所定期間内に保持キャパシタがデータ信号を十分に充電しきれない、所謂、書き込み不足と呼ばれる状態になる場合がある。この結果、所望の輝度より低い輝度で有機ＥＬ素子が発光してしまう。
【０００４】
また、有機ＥＬ素子に駆動電流を供給する駆動トランジスタは、それぞれ特性バラツキを有しそのバラツキを完全に解消することはできない。従って、駆動トランジスタは、特に、低い電圧領域で駆動させる場合、同じ電流レベルを有するデータ信号であっても有機ＥＬ素子に供給される駆動電流が各画素間で異なった大きさになる。この結果、低階調部（暗部）に輝度ムラが視認されてしまうという問題があった。
【０００５】
本発明は上記問題点を解消するためになされたものであって、その目的は書き込み不足の発生を抑制し暗部の表示ムラを無くすことができる電気光学装置、電気光学装置の駆動方法及び電子機器を提供することにある。
【課題を解決するための手段】
【０００６】
本発明の電気光学装置は、複数の走査線と、複数のデータ線と、前記各走査線と前記各データ線との交差部に対応した位置にそれぞれ配設された電気光学素子とを備え、前記電気光学素子が入力画像データのデータ値に応じた階調輝度で発光する電気光学装置において、第１の基準値を予め記憶し、前記入力画像データの中から前記電気光学素子を最も暗い階調輝度で発光させる最暗画像データを求めるとともに、前記最暗画像データが前記第１の基準値以下であるか否かを判断する判断部と、前記最暗画像データが前記第１の基準値以下であるとき、前記最暗画像データが前記第１の基準値を超えるように、入力画像データのデータ値を、補正する補正量を算出する算出部とを備えた。
【０００７】
これによれば、例えば、第１の基準値以下を書き込み不足が生じるデータ値に対応させることで、書き込み不足が生じるのを抑制した電気光学装置を実現することができる。
また、例えば、前記電気光学素子を発光させるための駆動信号を供給するトランジスタを備えた電気光学装置においては、前記第１の基準値を所定の値以上にすることで、前記トランジスタをその分大きな入力画像データに対応した信号で駆動させることができる。従って、低階調に対応する入力画像データに基づいて電気光学素子を低い輝度で発光させ
る場合においても（つまり、トランジスタを低い電圧領域で駆動する場合においても）、トランジスタのバラツキによってその駆動信号がばらつくことはない。この結果、低階調領域にて輝度ムラが視認されてしまうということはない。
【０００８】
この電気光学装置において、前記判断部は、前記第１の基準値より高い値を有する第２の基準値を予め記憶するとともに、前記入力画像データの中から前記電気光学素子を最も明るい階調輝度で発光させる最明画像データを求め、前記補正量で補正した入力画像データの最明画像データが前記第２の基準値を超えるか否かを判断し、前記算出部は、前記補正量で補正した入力画像データの最明画像データが前記第２の基準値を超えるとき、前記最暗画像データがほぼ前記第１の基準値となり、前記最明画像データが前記第２の基準値以下となるように、前記入力画像データのデータ値を補正するようにしてもよい。
【０００９】
これによれば、例えば、第１の基準値以下を書き込み不足が生じるデータ値に対応させ、第２の基準値より大きい値を白飛びが生じるデータ値に対応させることで、書き込み不足や白飛びが生じるのを抑制することができる電気光学装置を実現することができる。以下、本明細書において、白飛びとは、異なったデータ値を有する入力画像データが入力しても、その異なるデータ値による階調輝度の差異を適切に検知することができないほど電気光学素子の輝度が飽和してしまっている状態をいう。
【００１０】
この電気光学装置において、前記電気光学素子の発光期間を前記補正量に基づいて制御する発光期間制御回路を備えてもよい。
これによれば、入力画像データが第１の基準値以下である場合は、その入力画像データを前記第１の基準値以上に補正し、その分、電気光学素子の発光期間を短くする。このようにすることで、電気光学素子の階調を補正する前の入力画像データに応じて制御することができる。
【００１１】
この電気光学装置において、前記第１の基準値は、書き込み不足が生じると予想される低い階調の入力画像データの基準値であって、前記第２の基準値は、白飛びが生じると予想される高い階調の入力画像データの基準値であってもよい。
【００１２】
これによれば、書き込み不足や白飛びが生じるのを抑制することができる電気光学装置を実現することができる。
この電気光学装置において、前記算出部は、１フレーム分の前記入力画像データに基づいて前記補正量を算出してもよい。
【００１３】
これによれば、１フレーム毎に補正された前記入力画像データに基づいた画像を表示する電気光学装置を提供することができる。
この電気光学装置において、前記算出部は、１フレーム分の前記入力画像データを複数の組に分割し、その分割された組に属する入力画像データに基づいて前記補正量を算出するようにしてもよい。
【００１４】
これによれば、１フレーム分の前記入力画像データを複数の組に分割し、その分割された組に属する入力画像データに基づいて補正した入力画像データに基づいて画像を表示することで、例えば、画像が表示される表示パネル部を複数の領域に分割し、その分割された領域毎に補正された前記入力画像データに基づいた画像を表示させることができる。
【００１５】
この電気光学装置において、前記算出部は、１走査線分の前記入力画像データに基づいて前記補正量を算出するようにしてもよい。
これによれば、１走査線毎に補正された前記入力画像データに基づいた画像を表示させることで比較的低階調の画像を表示させる場合においても消費電力を抑えつつ優れた表示
品位を備えた電気光学装置を実現することができる。
【００１６】
この電気光学装置において、前記電気光学素子は、その発光層が有機材料で構成されたＥＬ素子であってもよい。
これによれば、有機ＥＬ素子を備えた電気光学装置において、その書き込み不足や白抜きの発生を抑制することができる。この結果、たとえ、低階調の画像を表示する場合であっても輝度ムラが発生することなく優れた表示品位を備えた電気光学装置を提供することができる。
【００１７】
本発明の電気光学装置の駆動方法は、複数の走査線と、複数のデータ線と、前記各走査線と前記各データ線との交差部に対応した位置にそれぞれ配設された電気光学素子と、を備え前記電気光学素子が入力画像データのデータ値に応じた階調輝度で発光する電気光学装置の駆動方法において、前記入力画像データの中から、前記電気光学素子を最も暗い階調輝度で発光させる最暗画像データと最も明るい階調輝度で発光させる最明画像データとを求め、前記最暗画像データが予め定めた第１の基準値以下であるか否かを判断し、前記最暗画像データが前記第１の基準値以下のとき、前記最暗画像データが前記第１の基準値を超えるように、前記入力画像データのデータ値を補正するようにした。
【００１８】
これによれば、例えば、第１の基準値を書き込み不足が生じるデータ値に対応させることで、書き込み不足によって所望の輝度より暗い画像が表示されることはない。
また、例えば、前記電気光学素子を発光させるための駆動信号を供給するトランジスタを備えた電気光学装置においては、前記第１の基準値を所定の値以上にすることで、前記トランジスタをその分大きな入力画像データに対応した信号で駆動させることができる。従って、低階調に対応する入力画像データに基づいて電気光学素子を低い輝度で発光させる場合においても（つまり、トランジスタを低い電圧領域で駆動する場合においても）、トランジスタのバラツキによってその駆動信号がばらつくことはない。この結果、低階調領域にて輝度ムラが視認されてしまうということはない。
【００１９】
この電気光学装置の駆動方法において、前記入力画像データの中から求めた前記最明画像データが、予め定めた第２の基準値を越えるか否かを判断し、前記最明画像データが前記第２の基準値を越えるとき、前記最暗画像データがほぼ前記第１の基準値となり、前記最明画像データが前記第２の基準値以下となるように、前記入力画像データのデータ値を補正するようにしてもよい。
【００２０】
これによれば、例えば、第１の基準値以下を書き込み不足が生じるデータ値に対応させ、第２の基準値より大きい値を白飛びが生じるデータ値に対応させることで、所望の輝度より暗い画像が表示されたり、白飛びが生じた画像が表示されたりすることはない。
【００２１】
この電気光学装置の駆動方法において、前記電気光学素子の発光期間を前記補正に基づいて制御する発光期間制御回路をさらに備え、前記発光期間制御回路は、前記最暗画像データが前記第１の基準値以下であると判断され前記入力画像データのデータ値が前記補正量に基づいて引き上げられた場合、前記電気光学素子の発光期間を前記補正に対応した期間だけ短くするようにしてもよい。
【００２２】
これによれば、入力画像データが第１の基準値以下である場合は、その入力画像データを前記第１の基準値以上に補正し、その分、電気光学素子の発光期間を短くする。このようにすることで、書き込み不足が生じることなく電気光学素子の階調を入力画像データに基づいて制御することができる。
【００２３】
この電気光学装置の駆動方法において、前記補正を、１フレーム分の前記入力画像デー
タに基づいて算出するようにしてもよい。
これによれば、１フレーム毎に補正された前記入力画像データに基づいた画像を表示させることができる。
【００２４】
この電気光学装置の駆動方法において、前記補正を、１フレーム分の前記入力画像データを複数の組に分割し、その分割された組に属する入力画像データに基づいて算出するようにしてもよい。
【００２５】
これによれば、１フレーム分の前記入力画像データを複数の組に分割し、その分割された組に属する入力画像データに基づいて補正した入力画像データに基づいて画像を表示することで、例えば、画像が表示される表示パネル部を複数の領域に分割し、その分割された領域毎に補正された前記入力画像データに基づいた画像を表示させることができる。
【００２６】
この電気光学装置の駆動方法において、前記補正を、１走査線分の前記入力画像データに基づいて算出するようにしてもよい。
これによれば、１走査線毎に補正された前記入力画像データに基づいた画像を表示させることで比較的低階調の画像を表示させる場合においても消費電力を抑えつつ優れた表示品位を備えた電気光学装置を実現することができる。
【００２７】
本発明の電子機器は上記記載の電気光学装置を備えた。
これによれば、書き込み不足や白飛びが生じることがない優れた表示品位を備えた電子機器を提供することができる。
【発明を実施するための最良の形態】
【００２８】
（第１実施形態）
以下、本発明を具体化した第１実施形態を図１〜図６に従って説明する。図１は、本実施形態に係る有機ＥＬディスプレイの電気的構成を示すブロック回路図である。
【００２９】
有機ＥＬディスプレイ１０は、図１に示すように、制御回路１１、表示パネル部１２、データ線駆動回路１３及び走査線駆動回路１４を備えている。
有機ＥＬディスプレイ１０の制御回路１１、データ線駆動回路１３及び走査線駆動回路１４は、それぞれが独立した電子部品によって構成されていてもよい。例えば、制御回路１１、データ線駆動回路１３及び走査線駆動回路１４が各々１チップの半導体集積回路装置によって構成されていてもよい。また、制御回路１１、データ線駆動回路１３及び走査線駆動回路１４の全部若しくは一部がプログラマブルなＩＣチップで構成され、その機能がＩＣチップに書き込まれたプログラムによりソフトウェア的に実現されてもよい。
【００３０】
制御回路１１は、図１に示すように、明暗解析部１５、点灯輝度制御部１６及び点灯時間幅制御部１７から構成されている。
明暗解析部１５は、図示しない画像データ出力装置から出力される画像データＤ、垂直同期信号ＶＣＬＫ及び図示しないクロック信号ＣＬＫを入力する。この画像データＤは、後記するデータ信号Ｉｄａｔａ１〜Ｉｄａｔａｍの電流レベルを決定するためのデータである。また、垂直同期信号ＶＣＬＫは画像データＤの各フレームの先頭を示す。明暗解析部１５は、記憶部を有し、その記憶部に最暗階調閾値Ｄｔｈ１と最明階調閾値Ｄｔｈ２とが予め記憶されている。最暗階調閾値Ｄｔｈ１は、書き込み不足が生じると予想される低い階調の画像データＤの基準値であって、明暗解析部１５はこの基準値より低い階調（暗い輝度）の画像データＤが入力されると、書き込み不足が生じると判断するようになっている。また、最明階調閾値Ｄｔｈ２は、白飛びが生じると予想される高い階調の画像データＤの基準値であって、明暗解析部１５はこの基準値より高い階調（明るい輝度）の画像データＤが入力されると、白飛びが生じると判断するようになっている。
【００３１】
明暗解析部１５は、１フレーム毎に、入力された後記する各画素に対する画像データＤの中から、最も低い階調（暗い輝度）の画像データ（最暗画像データＤｍｉｎ）と、最も高い階調（明るい輝度）の画像データ（最明画像データＤｍａｘ）とを求める。そして、明暗解析部１５は、その求めた最暗画像データＤｍｉｎと最暗階調閾値Ｄｔｈ１とを比較して画像データＤを補正する。また、明暗解析部１５は、その補正した画像データＤの最明画像データＤｍａｘと最明階調閾値Ｄｔｈ２と比較する。明暗解析部１５は、これら比較処理を１フレームの画像データＤから最暗画像データＤｍｉｎと最明画像データＤｍａｘを求める毎に行われる。
【００３２】
明暗解析部１５は、最暗画像データＤｍｉｎが最暗階調閾値Ｄｔｈ１以下と判断した場合、当該１フレームの各画素に対する画像データＤのデータ値の範囲を、最暗階調閾値Ｄｔｈ１〜最明階調閾値Ｄｔｈ２の範囲に収めるための補正量αを算出する。詳述すると、図３に一点鎖線で示す、１フレームの画像データＤの中に、その求めた最暗画像データＤｍｉｎが最暗階調閾値Ｄｔｈ１以下のものがある場合、その１フレームの画像データＤを補正して、図３に実線で示す、最暗階調閾値Ｄｔｈ１から最明階調閾値Ｄｔｈ２の範囲に収めるための補正量αを算出する。
【００３３】
図２は、明暗解析部１５にて実行される補正量αの算出方法を説明するためのフローチャートである。明暗解析部１５は、まず、入力された１フレーム分の画像データＤの中から最暗画像データＤｍｉｎを求め（ステップＳ−１）、その最暗画像データＤｍｉｎを最暗階調閾値Ｄｔｈ１と比較する（ステップＳ−２）。そして、求めた最暗画像データＤｍｉｎが最暗階調閾値Ｄｔｈ１を超えている場合（ステップＳ−２においてＮＯ）、補正量αを「１」に設定する（ステップＳ−５）。つまり、１フレーム分の画像データＤは、少なくとも、最暗階調閾値Ｄｔｈ１より高い階調のデータであるので、書き込み不足が生じないと判断し、画像データＤを補正する必要のない補正量α、即ち、α＝１に設定するようにしている。
【００３４】
一方、求めた最暗画像データＤｍｉｎが最暗階調閾値Ｄｔｈ１以下の場合（ステップＳ−２においてＹＥＳ）、明暗解析部１５は、入力された１フレーム分の画像データＤの中から最明画像データＤｍａｘを求める（ステップＳ−３）。最明画像データＤｍａｘを求めると、明暗解析部１５は、最暗階調閾値Ｄｔｈ１、最暗画像データＤｍｉｎ及び最明画像データＤｍａｘを用いて、仮最明画像データ値ＤＸ（＝Ｄｔｈ１・Ｄｍａｘ／Ｄｍｉｎ）を算出し、その算出した仮最明画像データ値ＤＸと最明階調閾値Ｄｔｈ２と比較する（ステップＳ−４）。つまり、最暗階調閾値Ｄｔｈ１以下の画像データＤ（最暗画像データＤｍｉｎ）が最暗階調閾値Ｄｔｈ１のレベルに引き上げるために、１フレーム分の画像データＤを全体に引き上げるとき、その最明画像データＤｍａｘが最明階調閾値Ｄｔｈ２を超えるかどうか判断する。
【００３５】
そして、算出された仮最明画像データ値ＤＸが最明階調閾値Ｄｔｈ２以下であると判断した場合（ステップＳ−４においてＹＥＳ）、明暗解析部１５は最暗画像データＤｍｉｎを最暗階調閾値Ｄｔｈ１で割り、その割って得られた値を補正量α（＝Ｄｍｉｎ／Ｄｔｈ１）とする（ステップＳ−６）。つまり、最暗階調閾値Ｄｔｈ１以下の画像データＤ（最暗画像データＤｍｉｎ）が最暗階調閾値Ｄｔｈ１のレベルに引き上げるために、１フレーム分の画像データＤを全体に引き上げるとき、その最明画像データＤｍａｘが最明階調閾値Ｄｔｈ２を超えない。従って、１フレーム分の画像データＤを補正量α（＝Ｄｍｉｎ／Ｄｔｈ１）で補正しても補正後の画像データＤは、最暗階調閾値Ｄｔｈ１から最明階調閾値Ｄｔｈ２の範囲に収められたものとなる。
【００３６】
一方、仮最明画像データ値ＤＸが最明階調閾値Ｄｔｈ２を超える場合（ステップＳ−４
においてＮＯ）、明暗解析部１５は、仮最明画像データ値ＤＸを最明階調閾値Ｄｔｈ２で割り、その割って得られた値を補正量α（＝ＤＸ／Ｄｔｈ２）とする（ステップＳ−７）。つまり、前記した１フレーム分の画像データＤを全体に引き上げるとき、その最明画像データＤｍａｘが最明階調閾値Ｄｔｈ２を超えるので、補正後の画像データＤが、ほぼ最暗階調閾値Ｄｔｈ１から最明階調閾値Ｄｔｈ２の範囲に収める補正量α（＝ＤＸ／Ｄｔｈ２）とした。このとき、補正後の画像データＤの一部が暗階調閾値Ｄｔｈ１以下になる場合があるが（図３参照）、補正前の画像データＤに比べて最暗階調閾値Ｄｔｈ１以下の画像データＤのデータ範囲は小さい。
【００３７】
そして、明暗解析部１５は、それぞれのステップＳ−５〜Ｓ−７で求めた補正量αを点灯輝度制御部１６及び点灯時間幅制御部１７にそれぞれ出力する。
点灯輝度制御部１６は、図１に示すように、その内部にフレームメモリＦＭを備えている。点灯輝度制御部１６は、画像データＤ、補正量α、垂直同期信号ＶＣＬＫ及び図示しないクロック信号ＣＬＫを入力する。点灯輝度制御部１６は、１フレーム分の各画素に対する画像データＤをフレームメモリＦＭに一旦記憶する。点灯輝度制御部１６は、その記憶した１フレーム分の画像データＤを前記補正量αに基づいて補正し、その補正した１フレーム分の各画素に対する画像データＤを補正後画像データＤｒとしてデータ線駆動回路１３に出力する。本実施形態においては、１フレーム分の各画素に対する補正後画像データＤｒは、以下の式で表される。
【００３８】
Ｄｒ＝Ｄ／α      ・・・（１）
つまり、各画素の画像データＤを補正量αで割った値が各画素の補正後画像データＤｒとなる。従って、上式（１）より、補正量αが「１」のとき、即ち、最暗画像データＤｍｉｎが前記最暗階調閾値Ｄｔｈ１を超えるとき、補正後画像データＤｒは補正前の画像データＤと同じ値となる。そして、点灯輝度制御部１６は、画像データＤを補正することなくデータ線駆動回路１３に出力する。
【００３９】
また、補正量αがα＝Ｄｍｉｎ／Ｄｔｈ１のとき、最暗画像データＤｍｉｎが最暗階調閾値Ｄｔｈ１以下であって、仮最明画像データ値ＤＸ（＝Ｄｔｈ１・Ｄｍａｘ／Ｄｍｉｎ）が最明階調閾値Ｄｔｈ２以下であるので、補正量α（＝Ｄｍｉｎ／Ｄｔｈ１）＜１である。従って、補正後画像データＤｒ（＝Ｄ／α）は、補正前の画像データＤがＤｔｈ１／Ｄｍｉｎ（＝１／α）の割合だけ大きくなった値となる。その結果、補正後画像データＤｒの最暗画像データは最暗階調閾値Ｄｔｈ１以上になる。そして、点灯輝度制御部１６は、上記補正後画像データＤｒをデータ線駆動回路１３に出力する。
【００４０】
さらに、補正量αがα＝ＤＸ／Ｄｔｈ２のとき、最暗画像データＤｍｉｎが最暗階調閾値Ｄｔｈ１以下であって、仮最明画像データ値ＤＸ（＝Ｄｔｈ１・Ｄｍａｘ／Ｄｍｉｎ）が最明階調閾値Ｄｔｈ２以上であるので、補正量α＜１となる。従って、補正後画像データＤｒは、補正前の画像データＤがＤｔｈ２／ＤＸ（＝１／α）の割合だけ大きくなった値となる。しかも、補正後画像データＤｒの最明画像データは、最明階調閾値Ｄｔｈ２以下になる。そして、点灯輝度制御部１６は、上記補正された補正後画像データＤｒをデータ線駆動回路１３に出力する。
【００４１】
図３は、各補正量αに基づいて補正された補正後画像データＤｒとその補正後画像データＤｒに応じた点灯輝度の関係を説明するための図である。
いま、図３に一点鎖線で示すような、１フレーム分の各画素の補正前の画像データＤがあるとする。この１フレーム分の画像データＤにおいて、補正前の画像データＤをα（＝Ｄｍｉｎ／Ｄｔｈ１）の補正量αに基づいて補正した補正後画像データＤｒ（＝Ｄ／α）は二点鎖線で示されるものとなる。また、この１フレーム分の画像データＤにおいて、補正前の画像データＤをα（＝ＤＸ／Ｄｔｈ２）の補正量αに基づいて補正した補正後画像
データＤｒ（＝Ｄ／α）は実線で示されるものとなる。
【００４２】
従って、図３に一点鎖線で示すような、１フレーム分の各画素の補正前の画像データＤは、α（＝ＤＸ／Ｄｔｈ２）の補正量αに基づいて補正後画像データＤｒを求めることによって、最暗階調閾値Ｄｔｈ１から最明階調閾値Ｄｔｈ２の範囲に収められたものとなる。その結果、１フレーム分の各画素の補正前の画像データＤは、書き込み不足や白飛びは生じない補正後画像データＤｒに補正される。
【００４３】
因みに、図３に二点鎖線で示す補正後画像データＤｒでは、書き込み不足は生じないデータであるが、その一部に最明階調閾値Ｄｔｈ２を超える補正後画像データＤｒが生成されるため、白飛びが生じてしまうデータとなる。図３に示すように、実線で示す補正後画像データＤｒの一部が最暗階調閾値Ｄｔｈ１以下になっている。この最暗階調閾値Ｄｔｈ１以下の補正後画像データＤｒが直ちに書き込み不足を生じることはないように最暗階調閾値Ｄｔｈ１を書き込み不足が生じるデータ値から予め見越してずらして設定されている。この結果、たとえ補正後の画像データＤの一部が最暗階調閾値Ｄｔｈ１以下になっても書き込み不足が生じることはない。
【００４４】
また、点灯輝度制御部１６は、クロック信号ＣＬＫに基づいてデータ線駆動回路１３に前記各画素の補正後画像データＤｒを出力するタイミングを制御するための水平同期信号ＨＣＬＫを生成する。
【００４５】
点灯時間幅制御部１７は、図１に示すように、前記補正量α、垂直同期信号ＶＣＬＫ及び図示しないクロック信号ＣＬＫを入力する。点灯時間幅制御部１７は、前記クロック信号ＣＬＫに基づいて後記する第１〜第ｎの走査線Ｙ１〜Ｙｎの各々を順次選択するタイミングを制御するための水平同期信号ＨＣＬＫを生成する。また、点灯時間幅制御部１７は、前記クロック信号ＣＬＫに基づいて後記する第１〜第ｎの制御線Ｇ１〜Ｇｎの各々を順次選択するタイミング及びその選択期間Ｔｐを制御するための発光期間制御信号Ｔｓｅｌを生成する。この発光期間制御信号Ｔｓｅｌは、前記補正量αに基づいて１フレーム毎に補正される制御信号である。
【００４６】
詳しくは、本実施形態の選択期間Ｔｐ（以後、補正後選択期間Ｔｐという）は、補正前の画像データＤに対応して予め設定された選択期間をＴＤで表すと以下の式で表される。
Ｔｐ＝ＴＤ・α      ・・・（２）
従って、補正後選択期間Ｔｐは補正量αに依存する。詳しくは、補正量αがα＝１のときの発光期間制御信号Ｔｓｅｌは、補正前の画像データＤに対応して予め設定された選択期間ＴＤと同じ期間を補正後選択期間Ｔｐとする制御信号である。
【００４７】
また、補正量αがα＝Ｄｍｉｎ／Ｄｔｈ１のときの発光期間制御信号Ｔｓｅｌは、補正前の画像データＤに対応して予め設定された選択期間ＴＤよりα（＝Ｄｍｉｎ／Ｄｔｈ１）の割合だけ短い期間を補正後選択期間Ｔｐとする制御信号である。
【００４８】
また、補正量αがα＝ＤＸ／Ｄｔｈ２のときの発光期間制御信号Ｔｓｅｌは、補正前の画像データＤに対応して予め設定された選択期間ＴＤよりα（＝ＤＸ／Ｄｔｈ２）の割合だけ短い期間を補正後選択期間Ｔｐとする制御信号である。そして、点灯時間幅制御部１７は、水平同期信号ＨＣＬＫ及び発光期間制御信号Ｔｓｅｌを走査線駆動回路１４に出力する。
【００４９】
前記のように構成された制御回路１１から、水平同期信号ＨＣＬＫのタイミングで１フレームの各画素の補正後画像データＤｒが出力されるとともに、垂直同期信号ＶＣＬＫのタイミングで１フレーム毎の発光期間制御信号Ｔｓｅｌを出力する。つまり、制御回路１
１は、補正後画像データＤｒをデータ線駆動回路１３に出力するタイミングで、その補正後画像データＤｒに対応して補正された発光期間制御信号Ｔｓｅｌを走査線駆動回路１４に出力する。
【００５０】
図４は、表示パネル部１２及びデータ線駆動回路１３の内部構成を説明するための図である。データ線駆動回路１３は、図４に示すように、ｍ個の単一ラインドライバ１３ａを備えている。このｍ個の単一ラインドライバ１３ａの各々は、電流出力型デジタル・アナログ変換回路を構成する。また、ｍ個の単一ラインドライバ１３ａの各々は、表示パネル部１２に形成されたｍ本のデータ線Ｘ１〜Ｘｍの各々に接続されている。
【００５１】
各単一ラインドライバ１３ａは、それぞれ、前記水平同期信号ＨＣＬＫのタイミングで各データ線Ｘ１〜Ｘｍに対応した補正後画像データＤｒをそれぞれ入力すると、その補正後画像データＤｒに応じたアナログ値を有するデータ信号Ｉｄａｔａ１〜Ｉｄａｔａｍにそれぞれ変換する。このデータ信号Ｉｄａｔａ１〜Ｉｄａｔａｍは、それぞれアナログ電流信号である。そして、各単一ラインドライバ１３ａからは水平同期信号ＨＣＬＫに基づくタイミング信号でデータ信号Ｉｄａｔａ１〜Ｉｄａｔａｍが一斉に出力される。
【００５２】
走査線駆動回路１４は、図４に示すように、表示パネル部１２に形成されたｎ本の走査線Ｙ１〜Ｙｎの各々に接続されている。また、走査線駆動回路１４は、表示パネル部１２に形成されたｎ本の制御線Ｇ１〜Ｇｎの各々に接続されている。
【００５３】
走査線駆動回路１４は、前記水平同期信号ＨＣＬＫのタイミングで所定の走査線Ｙ１〜Ｙｎを選択する走査信号ＳＣ１〜ＳＣｎを出力する。本実施形態においては、走査線駆動回路１４は、Ｈレベルの走査信号ＳＣ１〜ＳＣｎを対応する走査線Ｙ１〜Ｙｎの第１の走査線Ｙ１→第２の走査線Ｙ２→…第ｎの走査線Ｙｎ→第１の走査線Ｙ１→…に順次出力する。
【００５４】
また、走査線駆動回路１４は、前記垂直同期信号ＶＣＬＫのタイミングに基づいて対応する制御線Ｇ１〜Ｇｎに制御信号Ｔ１〜Ｔｎを出力する。詳しくは、図６に示すように、走査線駆動回路１４は、所定の走査線に所定期間（書き込み期間）だけＨレベルの走査信号ＳＣ１，ＳＣ２，…が出力された後にＬレベルの走査信号ＳＣ１，ＳＣ２，…を出力しその所定の走査線を非選択にする。非選択にした後、走査線駆動回路１４は、前記所定の走査線に対応する制御線に前記点灯時間幅制御部１７にて算出された補正後選択期間ＴｐだけＨレベルとなる制御信号Ｔ１，Ｔ２，…を出力する。
【００５５】
表示パネル部１２は、図４に示すように、その行方向に沿って延びるｎ本の走査線Ｙ１〜Ｙｎを備えている。また、表示パネル部１２は、その列方向に沿って延びるｍ本のデータ線Ｘ１〜Ｘｍを備えている。さらに、表示パネル部１２は、各走査線Ｙ１〜Ｙｎと各データ線Ｘ１〜Ｘｍとの交差部に対応した位置に画素２０を備えている。
【００５６】
各画素２０は、対応する走査線Ｙ１〜Ｙｎを介して走査線駆動回路１４にそれぞれ接続されている。また、各画素２０は、対応するデータ線Ｘ１〜Ｘｍを介してデータ線駆動回路１３（単一ラインドライバ１３ａ）にそれぞれ接続されている。また、表示パネル部１２は、各走査線Ｙ１〜Ｙｎと平行に電源線Ｌｏを備えている。電源線Ｌｏは各画素２０に電気的に接続され、各画素２０を構成する後記する駆動トランジスタＱｄに電源電圧ＶＯＬＥＤを供給するための電源線である。
【００５７】
さらに、表示パネル部１２は、各走査線Ｙ１〜Ｙｎと平行に制御線Ｇ１〜Ｇｎを備えている。各制御線Ｇ１〜Ｇｎは、対応する各画素２０に電気的にそれぞれ接続されるとともに走査線駆動回路１４にそれぞれ接続されている。
【００５８】
図５は、ｍ番目のデータ線Ｘｍとｎ番目の走査線Ｙｎとの交差部に対応した位置に設けられた画素２０の内部回路構成を説明する回路図である。
画素２０は、その発光層が有機材料で構成された有機ＥＬ素子ＯＬＥＤ、駆動トランジスタＱｄ、第１及び第２のスイッチングトランジスタＱｓｗ１，Ｑｓｗ２、発光期間制御用トランジスタＱｏ及び保持キャパシタＣｏを備えている。第１及び第２のスイッチングトランジスタＱｓｗ１，Ｑｓｗ２、及び、発光期間制御用トランジスタＱｏのそれぞれは、本実施形態においては、Ｎ型ＴＦＴである。また、駆動トランジスタＱｄは、本実施形態においては、Ｐ型ＴＦＴである。つまり、有機ＥＬディスプレイ１０は、各画素２０に第１及び第２のスイッチングトランジスタＱｓｗ１，Ｑｓｗ２を有するアクティブマトリクス型有機ＥＬディスプレイである。
【００５９】
駆動トランジスタＱｄは、そのソースが電源線Ｌｏに接続されている。駆動トランジスタＱｄのゲート／ソース間には保持キャパシタＣｏが接続されている。また、駆動トランジスタＱｄのゲート／ドレイン間には、第１のスイッチングトランジスタＱｓｗ１が接続されている。駆動トランジスタＱｄのドレインには、第２のスイッチングトランジスタＱｓｗ２のドレインが接続されている。第２のスイッチングトランジスタＱｓｗ２のソースはｍ番目のデータ線Ｘｍに接続されている。
【００６０】
第１のスイッチングトランジスタＱｓｗ１のゲートと第２のスイッチングトランジスタＱｓｗ２のゲートは互いに接続されるとともにｎ番目の走査線Ｙｎに接続されている。
さらに、駆動トランジスタＱｄのドレインは発光期間制御用トランジスタＱｏのドレインが接続されている。発光期間制御用トランジスタＱｏは、そのゲートがｎ番目の制御線Ｇｎに接続されている。発光期間制御用トランジスタＱｏのソースは有機ＥＬ素子ＯＬＥＤの陽極Ｅ１に接続されている。有機ＥＬ素子ＯＬＥＤの陰極Ｅ２は接地されている。
【００６１】
そして、画素２０は、その走査線ＹｎにＨレベルの走査信号ＳＣｎが出力されると第１及び第２のスイッチングトランジスタＱｓｗ１，Ｑｓｗ２が導通状態になる。また、駆動トランジスタＱｄがダイオード接続されることで、補正後画像データＤｒに基づくデータ信号Ｉｄａｔａｍが画素２０に供給される。この結果、保持キャパシタＣｏにデータ信号Ｉｄａｔａｍに応じた電荷が蓄積され、同画素２０にデータ信号Ｉｄａｔａｍが書き込まれる。このとき、制御線ＧｎにはＬレベルの制御信号Ｔｎが出力されている。この結果、駆動トランジスタＱｄと有機ＥＬ素子ＯＬＥＤとは電気的に遮断されているので、有機ＥＬ素子ＯＬＥＤには駆動電流ＩＯＬＥＤが流れない。従って、有機ＥＬ素子ＯＬＥＤは発光しない。
【００６２】
その後、走査線ＹｎにＬレベルの走査信号ＳＣｎが出力されると第１及び第２のスイッチングトランジスタＱｓｗ１，Ｑｓｗ２が電気的に遮断され、画素２０へのデータ信号Ｉｄａｔａｍの書き込みが終了する。この状態においては、保持キャパシタＣｏにはデータ信号Ｉｄａｔａｍに応じた電荷が保持されている。そして、制御線ＧｎにＨレベルの制御信号Ｔｎが出力される。この結果、駆動トランジスタＱｄと有機ＥＬ素子ＯＬＥＤとは制御信号ＴｎがＨレベルの期間（補正後選択期間Ｔｐ）だけ導通状態になるので、有機ＥＬ素子ＯＬＥＤに駆動電流ＩＯＬＥＤが流れ有機ＥＬ素子ＯＬＥＤが発光する。このとき、駆動電流ＩＯＬＥＤの電流レベルは、保持キャパシタＣｏに保持された電荷量に対応する。即ち、駆動電流ＩＯＬＥＤの電流レベルは、データ信号Ｉｄａｔａｍの電流レベルに比例する。従って、有機ＥＬ素子ＯＬＥＤはデータ信号Ｉｄａｔａｍの電流レベルに比例した輝度で発光する。
【００６３】
尚、本実施形態においては、画素２０を、有機ＥＬ素子ＯＬＥＤ、駆動トランジスタＱｄ、第１及び第２のスイッチングトランジスタＱｓｗ１，Ｑｓｗ２及び保持キャパシタＣ
ｏで構成したが、これに限定されるものではなく、適宜変更してもよい。
【００６４】
上記有機ＥＬディスプレイ１０において、制御回路１１は、データ線駆動回路１３から補正後画像データＤｒに基づくデータ信号Ｉｄａｔａ１〜Ｉｄａｔａｍが出力されるとき、走査線駆動回路１４からは、そのデータ信号Ｉｄａｔａ１〜Ｉｄａｔａｍに対応した補正後選択期間Ｔｐで発光させるための発光期間制御信号Ｔｓｅｌが出力される。
【００６５】
従って、データ線駆動回路１３から補正量αがα＝１のときの補正後画像データＤｒに基づくデータ信号Ｉｄａｔａ１〜Ｉｄａｔａｍが出力された場合、走査線駆動回路１４は、補正前の画像データＤに対応して予め設定された選択期間ＴＤと同じ期間の補正後選択期間Ｔｐだけ有機ＥＬ素子ＯＬＥＤに駆動電流ＩＯＬＥＤを供給する。
【００６６】
また、データ線駆動回路１３から補正量αがα＝Ｄｍｉｎ／Ｄｔｈ１のときの補正後画像データＤｒに基づくデータ信号Ｉｄａｔａ１〜Ｉｄａｔａｍが出力されると、走査線駆動回路１４は、補正前の画像データＤに対応して選択期間ＴＤよりＤｍｉｎ／Ｄｔｈ１の割合だけ短い補正後選択期間Ｔｐ、有機ＥＬ素子ＯＬＥＤに駆動電流ＩＯＬＥＤを供給する。
【００６７】
さらに、データ線駆動回路１３からα＝ＤＸ／Ｄｔｈ２のときの補正後画像データＤｒに基づくデータ信号Ｉｄａｔａ１〜Ｉｄａｔａｍが出力された場合、走査線駆動回路１４は、補正前の画像データＤに対応して設定された選択期間ＴＤよりＤＸ／Ｄｔｈ２の割合だけ短い補正後選択期間Ｔｐ、有機ＥＬ素子ＯＬＥＤに駆動電流ＩＯＬＥＤを供給する。
【００６８】
その結果、各有機ＥＬ素子ＯＬＥＤは、その発光輝度が補正前の画像データＤに基づいた発光輝度と同じになる。つまり、表示パネル部１２上には補正前の画像データＤに基づいた発光輝度で画像が表示される。
【００６９】
また、データ線駆動回路１３は、補正量αで補正された補正後画像データＤｒに基づいたデータ信号Ｉｄａｔａ１〜Ｉｄａｔａｍを対応する各データ線Ｘ１〜Ｘｍにそれぞれ出力する。この補正後画像データＤｒは、前記したように、その最暗画像データＤｍｉｎがほぼ最暗階調閾値Ｄｔｈ１以上になるように補正されたデータである。従って、各データ線Ｘ１〜Ｘｍにはほぼ最暗階調閾値Ｄｔｈ１以上の補正後画像データＤｒに応じた電流レベルを有するデータ信号Ｉｄａｔａ１〜Ｉｄａｔａｍが出力される。この結果、各データ線Ｘ１〜Ｘｍの配線容量に起因して保持キャパシタＣｏにデータ信号Ｉｄａｔａ１〜Ｉｄａｔａｍに応じた電荷が十分に充電されないといった所謂書き込み不足が生じることはない。従って、たとえ、低階調に対応する画像データＤに基づいて有機ＥＬ素子ＯＬＥＤを低い輝度で発光させる場合においても（つまり、前記各駆動トランジスタＱｄを低い電圧領域で駆動する場合においても）、画像データＤに応じた階調輝度で有機ＥＬ素子ＯＬＥＤを発光させることができる。
【００７０】
また、各画素２０にはほぼ最暗階調閾値Ｄｔｈ１以上の補正後画像データＤｒに応じた比較的大きな電流レベルを有するデータ信号Ｉｄａｔａ１〜Ｉｄａｔａｍが供給されるので、駆動トランジスタＱｄのバラツキによってその駆動電流ＩＯＬＥＤが画素２０毎で異なった大きさになってしまうことはない。この結果、低階調領域にて輝度ムラが視認されてしまうということはない。
【００７１】
また、各データ線Ｘ１〜Ｘｍには最明階調閾値Ｄｔｈ２以下の補正後画像データＤｒに応じた電流レベルを有するデータ信号Ｉｄａｔａ１〜Ｉｄａｔａｍが出力されるので、各画素２０に所謂白飛びが生じるのを抑制することができる。
【００７２】
以上のことから、本発明の有機ＥＬディスプレイ１０は、書き込み不足や白飛びの発生を抑制し、画像データＤに応じた画像を精度良く表示されることができる。
次に、このように構成された有機ＥＬディスプレイ１０の駆動方法について説明する。図６は、走査線駆動回路１４から出力される走査信号ＳＣ１〜ＳＣｎ及び制御信号Ｔ１〜Ｔｎのタイミングチャートである。
【００７３】
走査線駆動回路１４は、同回路１４内に設けられたＨＣＬＫをシフトクロックとする図示しないシフトレジスタによって所定期間Ｈレベルとなる走査信号ＳＣ１〜ＳＣｎが生成され、第１の走査線Ｙ１→第２の走査線Ｙ２→第３の走査線Ｙ３→…の順に走査線が選択される。このＨレベルの走査信号が出力されている期間にデータ線駆動回路１３の各単一ラインドライバ１３ａから補正後画像データＤｒに基づくデータ信号Ｉｄａｔａ１〜Ｉｄａｔａｍが一斉に出力される。この結果、Ｈレベルの走査信号が出力されている走査線に接続した各画素２０にはデータ信号Ｉｄａｔａ１〜Ｉｄａｔａｍが書き込まれる。その後、Ｌレベルの走査信号が出力されると前記各画素２０へのデータ信号Ｉｄａｔａ１〜Ｉｄａｔａｍの書き込みが終了し、各保持キャパシタＣｏにデータ信号Ｉｄａｔａ１〜Ｉｄａｔａｍに応じた電荷が保持される。
【００７４】
また、Ｈレベルの期間（補正後選択期間Ｔｐ）を設定する発光期間制御信号Ｔｓｅｌによって制御された制御信号Ｔ１〜Ｔｎが生成される。そして、Ｌレベルの走査信号が出力されデータ信号Ｉｄａｔａ１〜Ｉｄａｔａｍの書き込みが終了した後に第１の制御線Ｇ１にＨレベルの制御信号Ｔ１が出力される。そして、各データ信号Ｉｄａｔａ１〜Ｉｄａｔａｍの書き込みが終了した後に順次制御信号Ｔ２〜Ｔｎが対応する制御線にＧ２→Ｇ３→…→Ｇｎの順に出力される。
【００７５】
このようにすることで、前記画像データＤに応じた画像を表示パネル部１２上に表示させることができる。
尚、特許請求の範囲に記載の入力画像データは、本実施形態においては、補正前の画像データＤに対応している。特許請求の範囲に記載の第１の基準値は、本実施形態においては、最暗階調閾値Ｄｔｈ１に対応している。特許請求の範囲に記載の第２の基準値は、本実施形態においては、最明階調閾値Ｄｔｈ２に対応している。特許請求の範囲に記載の電気光学素子は、本実施形態においては、有機ＥＬ素子ＯＬＥＤに対応している。特許請求の範囲に記載の発光期間は、本実施形態においては、選択期間Ｔｐに対応している。特許請求の範囲に記載の電気光学装置は、本実施形態においては、有機ＥＬディスプレイ１０に対応している。特許請求の範囲に記載の判断部または算出部は、本実施形態においては、明暗解析部１５に対応している。特許請求の範囲に記載の発光期間制御回路は、本実施形態においては、点灯時間幅制御部１７に対応している。
【００７６】
前記実施形態によれば、以下のような特徴を得ることができる。
（１）  本実施形態では、１フレーム分の各画素２０の画像データＤの中にある最暗画像データＤｍｉｎが最暗階調閾値Ｄｔｈ１以下である場合、その最暗画像データＤｍｉｎが最暗階調閾値Ｄｔｈ１以上になるように画像データＤを補正後画像データＤｒに補正した。そして、その補正後画像データＤｒに基づいてデータ信号Ｉｄａｔａ１〜Ｉｄａｔａｍを生成し対応するデータ線Ｘ１〜Ｘｍを介して対応する画素２０にそれぞれ供給するようにした。このとき、各データ信号Ｉｄａｔａ１〜Ｉｄａｔａｍの電流レベルは、所謂、書き込み不足が生じるほど小さくないので、比較的低階調の画像を表示させる場合においても優れた表示品位を備えた有機ＥＬディスプレイ１０を実現することができる。
【００７７】
さらに、低階調に対応する画像データＤに基づいて有機ＥＬ素子ＯＬＥＤを低い輝度で発光させる場合においても（つまり、各駆動トランジスタＱｄを低い電圧領域で駆動する場合においても）、駆動トランジスタＱｄのバラツキによってその駆動電流ＩＯＬＥＤが
画素２０毎で異なった大きさになってしまうことはない。この結果、低階調領域にて輝度ムラが視認されてしまうということはない。
【００７８】
（２）  本実施形態では、画像データＤの中にある最暗階調閾値Ｄｔｈ１以下の画像データＤ（最暗画像データＤｍｉｎ）が最暗階調閾値Ｄｔｈ１のレベルに引き上げるために、１フレーム分の画像データＤを全体に引き上げるとき、その最明画像データＤｍａｘが最明階調閾値Ｄｔｈ２を超えた場合、それを最明階調閾値Ｄｔｈ２以下になるように補正した。そして、その補正された補正後画像データＤｒに基づいてデータ信号Ｉｄａｔａ１〜Ｉｄａｔａｍを生成し対応するデータ線Ｘ１〜Ｘｍを介して対応する画素２０にそれぞれ供給するようにした。このとき、各データ信号Ｉｄａｔａ１〜Ｉｄａｔａｍの電流レベルは、所謂、白飛びが生じるほど大きくないので、書き込み不足や白飛びが生じるのを抑制した優れた表示品位を備えた有機ＥＬディスプレイ１０を実現することができる。
【００７９】
（３）  本実施形態では、補正量αに基づいて制御信号Ｔの補正後選択期間Ｔｐを制御するようにした。例えば、補正後画像データＤｒが、補正される前の画像データＤに比べて補正量αに応じて大きくなるように補正された場合、その補正量αに対応して有機ＥＬ素子ＯＬＥＤの発光期間を短くした。従って、各有機ＥＬ素子ＯＬＥＤは補正される前の画像データＤに応じた輝度で発光することができる。
【００８０】
（４）  本実施形態では、各データ線Ｘ１〜Ｘｍには最明階調閾値Ｄｔｈ２以下の補正後画像データＤｒに応じた電流レベルを有するデータ信号Ｉｄａｔａ１〜Ｉｄａｔａｍが出力されるので、各画素２０に所謂白飛びが生じるのを抑制することができる。
（第２実施形態）
次に、本発明を具体化した第２実施形態を図７及び図８に従って説明する。図７は、第２実施形態に係る有機ＥＬディスプレイの電気的構成を示すブロック回路図である。第２実施形態に係る有機ＥＬディスプレイ１０ａは、図７に示すように、上記第１実施形態の表示パネル部１２を縦方向に２分割、横方向に２分割、合計４分割に区分けし、その区分けされた各パネル１２ａ〜１２ｄに対応した第１の走査線駆動回路１４ａ〜第４の走査線駆動回路１４ｄが設けられている。
【００８１】
詳しくは、前記表示パネル部１２はその左上の領域を第１のパネル１２ａ、右上の領域を第２のパネル１２ｂ、左下の領域を第３のパネル１２ｃ、右下の領域を第４のパネル１２ｄとして区分けしている。そして、第１のパネル１２ａには第１の走査線駆動回路１４ａが、第２のパネル１２ｂには第２の走査線駆動回路１４ｂが、第３のパネル１２ｃには第３の走査線駆動回路１４ｃが、第４のパネル１２ｄには第４の走査線駆動回路１４ｄがそれぞれ対応して接続されている。
【００８２】
そして、それ以外の構成は上記第１実施形態と同様であるため、前記第１実施形態と同じ構成部材については符号を等しくし、その詳細な説明を省略する。
本実施形態の有機ＥＬディスプレイ１０ａにおいて、明暗解析部１５は入力される１フレーム分の各画素２０の画像データＤを前記各パネル１２ａ〜１２ｄに対応して区分けし、その区分けしたパネル１２ａ〜１２ｄに対応した画像データＤ毎に最暗画像データＤｍｉｎと、最明画像データＤｍａｘとを求める。そして、明暗解析部１５は、前記分割されたパネル１２ａ〜１２ｄに対応した画像データＤ毎に補正量α１〜α４を、上記第１実施形態と同様に算出する。言い換えると、明暗解析部１５は１フレーム分の前記画像データＤを各パネル１２ａ〜１２ｄに対応した組に分割し、その分割された組に属する画像データＤに基づいた前記補正量α１〜α４を算出している。そして、その算出された補正量α１〜α４を点灯輝度制御部１６及び点灯時間幅制御部１７にそれぞれ出力する。
【００８３】
本実施形態の点灯輝度制御部１６は、前記した４分割された表示パネル部１２の各パネ
ル１２ａ〜１２ｄに対応する各画像データＤを前記補正量α１〜α４に基づいて補正後画像データＤｒを生成する。即ち、第１のパネル１２ａに対応する画像データＤを第１の補正量α１に基づいて補正して第１の補正後画像データＤｒ１を生成する。第２のパネル１２ｂに対応する画像データＤを第２の補正量α２に基づいて補正して第２の補正後画像データＤｒ２を生成する。第３のパネル１２ｃに対応する画像データＤを第３の補正量α３に基づいて補正して第３の補正後画像データＤｒ３を生成する。第４のパネル１２ｄに対応する画像データＤを第４の補正量α４に基づいて補正して第４の補正後画像データＤｒ４を生成する。そして、点灯輝度制御部１６は、その補正された各補正後画像データＤｒ１〜Ｄｒ４をデータ線駆動回路１３に順次出力する。
【００８４】
本実施形態の点灯時間幅制御部１７は、各パネル１２ａ〜１２ｄに対応する画像データＤ毎に前記補正量α１〜α４に基づいて補正された発光期間制御信号Ｔｓｅｌ１〜Ｔｓｅｌ４を生成する。即ち、各補正量α１〜α４に基づいてそれぞれ補正された補正後選択期間Ｔｐ１〜Ｔｐ４をそれぞれ生成する。そして、点灯時間幅制御部１７は、その生成された補正後選択期間Ｔｐ１〜Ｔｐ４を設定する発光期間制御信号Ｔｓｅｌ１〜Ｔｓｅｌ４を対応する走査線駆動回路１４ａ〜１４ｄに出力する。
【００８５】
第１〜第４の走査線駆動回路１４ａ，１４ｂ，１４ｃ，１４ｄのうち第１及び第２の走査線駆動回路１４ａ，１４ｂは、表示パネル部１２に形成されたｎ本の走査線Ｙ１〜Ｙｎのうちｕ本の第１〜第ｕの走査線Ｙｕに接続され、その各第１〜第ｕの走査線Ｙｕに対して走査信号ＳＣ１〜ＳＣｕをそれぞれ出力する。
【００８６】
また、第１の走査線駆動回路１４ａは補正後選択期間Ｔｐ１を設定する発光期間制御信号Ｔｓｅｌ１に基づいて第１のパネル１２ａに形成された画素２０の有機ＥＬ素子ＯＬＥＤの発光期間を制御する制御信号Ｔ１を生成する。第２の走査線駆動回路１４ｂは補正後選択期間Ｔｐ２を設定する発光期間制御信号Ｔｓｅｌ２に基づいて第２のパネル１２ｂに形成された画素２０の有機ＥＬ素子ＯＬＥＤの発光期間を制御する制御信号Ｔ２を生成する。第３の走査線駆動回路１４ｃは補正後選択期間Ｔｐ３を設定する発光期間制御信号Ｔｓｅｌ３に基づいて第３のパネル１２ｃに形成された画素２０の有機ＥＬ素子ＯＬＥＤの発光期間を制御する制御信号Ｔ３を生成する。さらに、第４の走査線駆動回路１４ｄは補正後選択期間Ｔｐ４を設定する発光期間制御信号Ｔｓｅｌ４に基づいて第４のパネル１２ｄに形成された画素２０の有機ＥＬ素子ＯＬＥＤの発光期間を制御する制御信号Ｔ４を生成する。
【００８７】
そして、第１の走査線駆動回路１４ａから第１の制御信号Ｔ１を出力し、その後、第２の走査線駆動回路１４ｂから第２の制御信号Ｔ２を出力する。続いて、第３の走査線駆動回路１４ｃから第３の制御信号Ｔ３を出力し、その後、第４の走査線駆動回路１４ｄから第４の制御信号Ｔ４を出力する。
【００８８】
このように、パネル１２ａ〜１２ｄ毎に独立して画像データＤを補正することで、比較的低階調の画像を表示させる場合においても優れた表示品位を備えた有機ＥＬディスプレイ１０ａを実現することができる。
【００８９】
次に、このように構成された有機ＥＬディスプレイ１０ａの駆動方法について説明する。図８は、各走査線駆動回路１４ａ〜１４ｄから出力される走査信号ＳＣ１〜ＳＣｎ及び制御信号Ｔ１〜Ｔ４のタイミングチャートである。
【００９０】
各走査線駆動回路１４ａ〜１４ｄは、同各走査線駆動回路１４ａ〜１４ｄ内に設けられた図示しないシフトレジスタによって所定期間Ｈレベルとなる走査信号ＳＣ１〜ＳＣｎが生成され、第１の走査線Ｙ１→第２の走査線Ｙ２→第３の走査線Ｙ３→…の順に走査線が
選択される。
【００９１】
そして、このＨレベルの走査信号が出力されている期間にデータ線駆動回路１３の各単一ラインドライバ１３ａからデータ信号Ｉｄａｔａ１〜Ｉｄａｔａｍが一斉に出力される。このとき、第１及び第２の走査線駆動回路１４ａ，１４ｂがそれぞれ第１及び第２のパネル１２ａ，１２ｂ上の走査線を同期して選択しているときには、各単一ラインドライバ１３ａから第１及び第２の補正量α１，α２による補正後画像データＤｒ１，Ｄｒ２に基づいて生成されたデータ信号Ｉｄａｔａ１〜Ｉｄａｔａｍが一斉に出力される。また、第３及び第４の走査線駆動回路１４ｃ，１４ｄがそれぞれ第３及び第４のパネル１２ｃ，１２ｄ上の走査線を同期して選択しているときには、各単一ラインドライバ１３ａから第３及び第４の補正量α３，α４による補正後画像データＤｒ３，Ｄｒ４に基づいて生成されたデータ信号Ｉｄａｔａ１〜Ｉｄａｔａｍが一斉に出力される。
【００９２】
この結果、Ｈレベルの走査信号が出力されている走査線に接続した各画素２０にはデータ信号Ｉｄａｔａ１〜Ｉｄａｔａｍが書き込まれ、その後、各画素２０へのデータ信号Ｉｄａｔａ１〜Ｉｄａｔａｍの書き込みが終了し、各保持キャパシタＣｏにデータ信号Ｉｄａｔａ１〜Ｉｄａｔａｍに応じた電荷が保持される。
【００９３】
一方、選択された走査線上の各画素２０にデータ信号Ｉｄａｔａ１〜Ｉｄａｔａｍがそれぞれ書き込まれると、各走査線駆動回路１４ａ〜１４ｄは、それぞれ選択期間Ｔｐ１〜Ｔｐ４を設定する第１〜第４の発光期間制御信号Ｔｓｅｌ１〜Ｔｓｅｌ４に基づく制御信号Ｔ１〜Ｔ４がそれぞれ生成される。そして、第１の制御線Ｇ１→第２の制御線Ｇ２→第３の制御線Ｇ３→…の順に順次出力される。
【００９４】
本実施形態によれば、前記画像データＤに応じた画像を表示パネル部１２を４つのパネル１２ａ〜１２ｄに区分し、その区分したパネル１２ａ〜１２ｄしたパネル毎にそのパネルに属するに各画素２０の画像データＤについて、第１〜第４の補正後画像データＤｒ１〜Ｄｒ４を求めた。また、求めた各パネル１２ａ〜１２ｄ毎に、その第１〜第４の補正後画像データＤｒ１〜Ｄｒ４に対する補正後選択期間Ｔｐ１〜Ｔｐ４を求めて発光させた。従って、各パネル１２ａ〜１２ｄ毎に画像データＤに応じた画像を表示させることができる。
（第３実施形態）
次に、本発明を具体化した第３実施形態を図９及び図１０に従って説明する。図９は、第３実施形態に係る有機ＥＬディスプレイの電気的構成を示すブロック回路図である。第３実施形態に係る有機ＥＬディスプレイ１０ｂは、１走査線上に接続された複数の画素２０の画像データ毎（１ライン分の画像データ毎）に補正量α１〜αｎを算出し、その算出された補正量α１〜αｎに基づいて１ライン分の補正後画像データＤｒ１〜Ｄｒｎ及び発光期間制御信号Ｔｓｅｌ１〜Ｔｓｅｌｎを生成するディスイプレイである。そして、それ以外の構成は上記第１実施形態と同様であるため、前記第１実施形態と同じ構成部材については符号を等しくし、その詳細な説明を省略する。
【００９５】
本実施形態の有機ＥＬディスプレイ１０ｂにおいて、明暗解析部１５は画像データＤの１走査線毎に最暗画像データＤｍｉｎと、最明画像データＤｍａｘとを求める。そして、明暗解析部１５は、１走査線分の画像データＤ毎の補正量α１〜αｎを、上記第１実施形態と同様にして、算出する。そして、その算出された補正量α１〜αｎを後段の点灯輝度制御部１６及び点灯時間幅制御部１７にそれぞれ出力する。
【００９６】
本実施形態の点灯輝度制御部１６は、補正量α１〜αｎに基づいて補正した補正後画像データＤｒ１〜Ｄｒｎを生成する。即ち、第１の走査線Ｙ１に対応する画像データＤを第１の補正量α１に基づいて補正した第１の補正後画像データＤｒ１を生成する。第２の走
査線Ｙ２に対応する画像データＤを第２の補正量α２に基づいて補正した第２の補正後画像データＤｒ２を生成する。同様にして、各走査線に対応する画像データＤを対応する補正量に基づいて補正した補正後画像データＤｒを生成する。
【００９７】
そして、点灯輝度制御部１６は、その補正された各補正後画像データＤｒ１〜Ｄｒｎをデータ線駆動回路１３に順次出力する。データ線駆動回路１３は、補正後画像データＤｒ１〜Ｄｒｎに基づくデータ信号Ｉｄａｔａ１〜Ｉｄａｔａｍを生成し対応するデータ線Ｘ１〜Ｘｍに出力する。
【００９８】
一方、点灯時間幅制御部１７は、補正量α１〜αｎに基づいて各走査線毎の補正後選択期間Ｔｐ１〜Ｔｐｎを設定する発光期間制御信号Ｔｓｅｌ１〜Ｔｓｅｌｎを生成する。即ち、点灯時間幅制御部１７は、各補正量α１〜αｎに基づいて補正した補正後選択期間Ｔｐ１〜Ｔｐｎを設定する発光期間制御信号Ｔｓｅｌ１〜Ｔｓｅｌｎをそれぞれ生成し高速走査線駆動回路１４ｈに出力する。高速走査線駆動回路１４ｈは、発光期間制御信号Ｔｓｅｌ１〜Ｔｓｅｌｎに基づいて制御信号Ｔ１〜Ｔｎを生成しその生成された制御信号Ｔ１〜Ｔｎを対応する制御線Ｇ１〜Ｇｎに出力する。
【００９９】
この実施形態によれば、１走査線毎に独立して補正後画像データＤｒ１〜Ｄｒｎ及び補正後選択期間Ｔｐ１〜Ｔｐｎを生成することで、比較的低階調の画像を表示させる場合においても消費電力を抑えつつ優れた表示品位を備えた有機ＥＬディスプレイ１０ｂを実現することができる。
【０１００】
次に、このように構成された有機ＥＬディスプレイ１０ｂの駆動方法について説明する。図１０は、前記走査信号ＳＣ１〜ＳＣｎ及び制御信号Ｔ１〜Ｔｎのタイミングチャートである。尚、図１０においては、６本の走査線Ｙ１〜Ｙ６を備えた有機ＥＬディスプレイである。また、図１０にて発光期間制御信号Ｔｓｅｌ１〜Ｔｓｅｌ６の斜線部は１フレーム前の発光期間制御信号Ｔｓｅｌ１〜Ｔｓｅｌ６を示している。
【０１０１】
高速走査線駆動回路１４ｈは、所定期間Ｈレベルとなる走査信号ＳＣ１〜ＳＣｎを生成し、第１の走査線Ｙ１→第２の走査線Ｙ２→第３の走査線Ｙ３→…の順に走査線を選択する。そして、これらＨレベルの走査信号が出力されている期間にデータ線駆動回路１３の各単一ラインドライバ１３ａから補正後画像データＤｒ１〜Ｄｒｎに基づくデータ信号Ｉｄａｔａ１〜Ｉｄａｔａｍが一斉に出力される。この結果、Ｈレベルの走査信号が出力されている走査線に接続した各画素２０にはデータ信号Ｉｄａｔａ１〜Ｉｄａｔａｍが書き込まれる。その後、Ｌレベルの走査信号が出力されると前記各画素２０へのデータ信号Ｉｄａｔａ１〜Ｉｄａｔａｍの書き込みが終了し、各保持キャパシタＣｏにデータ信号Ｉｄａｔａ１〜Ｉｄａｔａｍに応じた電荷が保持される。
【０１０２】
また、高速走査線駆動回路１４ｈは、Ｈレベルの期間（補正後選択期間Ｔｐ１〜Ｔｐｎ）を設定する発光期間制御信号Ｔｓｅｌ〜Ｔｓｅｌｎによって制御された制御信号Ｔ１〜Ｔｎを生成する。そして、Ｌレベルの走査信号が出力されデータ信号Ｉｄａｔａ１〜Ｉｄａｔａｍの書き込みが終了した後に第１の制御線Ｇ１にＨレベルの制御信号Ｔ１が出力される。そして、各データ信号Ｉｄａｔａ１〜Ｉｄａｔａｍの書き込みが終了した後に順次制御信号Ｔ２〜Ｔｎが対応する制御線にＧ２→Ｇ３→…→Ｇｎの順に出力される。
【０１０３】
このようにすることで、前記画像データＤに応じた画像を表示パネル部１２上に表示させることができる。
本実施形態の前記各実施形態と同様に、画像データＤに応じた画像を表示パネル部１２上に表示させることができる。
【０１０４】
（第４実施形態）
次に、第１〜第３実施形態で説明した電気光学装置としての有機ＥＬディスプレイ１０，１０ａ，１０ｂの電子機器の適用について図１１に従って説明する。有機ＥＬディスプレイ１０，１０ａ，１０ｂは、液晶プロジェクター、モバイル型のパーソナルコンピュータ、携帯電話、デジタルカメラ等種々の電子機器に適用できる。
【０１０５】
図１１は、電子機器の一例たる携帯電話の概略構成図である。この携帯電話６０は、有機ＥＬディスプレイ１０，１０ａ，１０ｂを用いた表示ユニット６４と、複数の操作ボタン６１とを備えている。この場合でも、有機ＥＬディスプレイ１０，１０ａ，１０ｂを用いた表示ユニット６４は、前記と同様な効果を発揮する。従って、表示品位の高い画像表示ができる携帯電話６０を提供できる。
【０１０６】
尚、発明の実施形態は、上記実施形態に限定されるものではなく、以下のように実施してもよい。
○上記実施形態では、単色の有機ＥＬディスプレイ１０，１０ａ，１０ｂであったが、フルカラー表示が可能な有機ＥＬディスプレイに応用してもよい。
【０１０７】
○上記実施形態では、有機ＥＬ素子ＯＬＥＤを備えた有機ＥＬディスプレイに具体化して好適な効果を得たが、有機ＥＬディスプレイ以外の例えばデジタルマイクロミラーデバイス（ＤＭＤ）を用いたディスプレイ、電子放出素子を用いたディスプレイ（ＦＥＤ）やＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）に具体化してもよい。
【図面の簡単な説明】
【０１０８】
【図１】第１実施形態に係る有機ＥＬディスプレイの電気的構成を示すブロック回路図である。
【図２】補正量の算出方法を説明するためのフローチャートである。
【図３】各補正量に基づいて補正された画像データとその画像データに応じた点灯輝度の関係を説明するための図である。
【図４】表示パネル部及びデータ線駆動回路の内部構成を説明するための図。
【図５】画素の内部回路構成を説明するための図。
【図６】第１実施形態に係る走査信号及び制御信号のタイミングチャート。
【図７】第２実施形態に係る有機ＥＬディスプレイの電気的構成を示すブロック回路図。
【図８】第２実施形態に係る走査信号及び制御信号のタイミングチャート。
【図９】第３実施形態に係る有機ＥＬディスプレイの電気的構成を示すブロック回路図。
【図１０】第３実施形態に係る走査信号及び制御信号のタイミングチャート。
【図１１】携帯電話の概略構成図。
【符号の説明】
【０１０９】
Ｄ…入力画像データとしての補正前の画像データ、Ｄｔｈ１…第１の基準値としての最暗階調閾値、Ｄｔｈ２…第２の基準値としての最明階調閾値、Ｉｄａｔａ〜Ｉｄａｔａｍ…データ信号、ＯＬＥＤ…電気光学素子として有機ＥＬ素子、Ｔ…供給期間制御信号、Ｔｐ…発光期間としての補正後選択期間、Ｘ１〜Ｘｍ…データ線、Ｙ１〜Ｙｎ…走査線、１０…電気光学装置としての有機ＥＬディスプレイ、１２…表示パネル部、１３…データ線駆動回路、１４…走査線駆動回路、１４ｈ…高速走査線駆動回路、１５…判断部または算出部としての明暗解析部、１６…点灯輝度制御部、１７…発光期間制御回路としての点灯時間幅制御部、２０…画素、６０…電子機器としての携帯電話。
【図１】
2005141148.tif 000003
【図２】
2005141148.tif 000004
【図３】
2005141148.tif 000005
【図４】
2005141148.tif 000006
【図５】
2005141148.tif 000007
【図６】
2005141148.tif 000008
【図７】
2005141148.tif 000009
【図８】
2005141148.tif 000010
【図９】
2005141148.tif 000011
【図１０】
2005141148.tif 000012
【図１１】
2005141148.tif 000013